(57)【要約】      （修正有）【課題】多画面表示機能を有するテレビジョン装置における音声出力回路の簡素化をする。【解決手段】アンテナにより受信した信号は、第一の復調手段および第二の復調手段により復調され、それぞれ、第一の映像・音声受信手段および第二の映像・音声受信手段において復号される。復調された映像・音声信号は、映像合成手段において映像信号を形成し、映像・音声表示装置に対して出力される。第一及び第二の映像・音声受信手段において復号された音声信号は、音声選択手段により、サラウンドシステム通信手段と、音声アンプ回路とに振り分けられる。サラウンドシステム通信手段から外部アンプ・サラウンドシステムへ出力され、外部スピーカから音声出力される。また、音声アンプ回路からの信号は、出力切り換えスイッチで出力先を、スピーカあるいはヘッドフォンに選択的に切り替えができる。【選択図】図１
2008228078.tif 000002
【特許請求の範囲】
【請求項１】
第１の放送番組と第２の放送番組とを含む複数の放送番組を受信し、少なくとも前記第１の放送番組と前記第２の放送番組とに基づく第１の映像と第２の映像とを含む複数の映像を同時に画面表示可能な多画面表示機能を有するテレビジョン受信装置であって、
外部アンプ機器との通信手段と、
該通信手段による通信を利用して、前記外部アンプ機器の音声出力を制御する外部アンプ機器制御手段と、
スピーカとヘッドフォン端子への音声出力切り替え機能付きの音声出力手段と、
複数番組の同時表示時に、第１の映像に付随する音声を前記外部アンプ機器から出力している際に、該外部アンプ機器から音声を出力していない方の第２の映像に対応する音声をヘッドフォン端子から出力するように制御する音声出力切り替え機能制御手段と
を備えたことを特徴とするテレビジョン受信装置。
【請求項２】
第１の放送番組と第２の放送番組とを含む複数の放送番組を受信し、少なくとも前記第１の放送番組と前記第２の放送番組とに基づく第１の映像と第２の映像とを含む複数の映像を同時に画面表示可能な多画面表示機能を有するテレビジョン受信装置であって、
外部アンプ機器との通信手段と、
複数番組の同時表示時に、前記通信手段の通信によって、前記外部アンプ機器の接続の検出と、接続が検出された前記外部アンプ機器がテレビジョン放送受信装置からの音声を出力しているか否かの検出と、を行い、音声の出力ソースがテレビジョン放送受信装置からの音声であれば、第１の映像に付随する音声を前記外部アンプ機器に出力し、本体スピーカからの音声出力を停止する制御を行う制御手段と
を備えたことを特徴とするテレビジョン受信装置。
【請求項３】
前記第１の映像を主たる映像とし、前記第２の映像を従たる映像とすることを特徴とする請求項１又は２に記載のテレビジョン受信装置。
【請求項４】
前記第２の映像に付随する音声を、前記ヘッドフォン端子より出力する機能を有効にするか無効にするかを選択する選択機能を備えたことを特徴とする請求項１から３までのいずれか１項に記載のテレビジョン受信装置。
【請求項５】
複数の従たる映像に付随する音声中から、ヘッドフォン端子より出力する音声を選択する機能を備えたことを特徴とする請求項２から４までのいずれか１項に記載のテレビジョン受信装置。
【請求項６】
前記外部アンプ機器は、外付けサラウンドシステムであることを特徴とする請求項１から５までのいずれか１項に記載のテレビジョン受信装置。
【請求項７】
スピーカ、外部アンプ機器、外部アンプ機器及びヘッドフォンのいずれで音声の視聴を行うかに関する選択メニュー表示を有することを特徴とする請求項１から６までのいずれか１項に記載のテレビジョン受信装置。
【発明の詳細な説明】
【技術分野】
【０００１】
本発明は、テレビジョン受信装置に関し、特に、多画面表示された映像にそれぞれ対応する、外部アンプ等のサラウンドシステムの音声出力と、ヘッドフォン端子からの音声出力と、に対応可能な機能を有するテレビ放送受信装置に関する。
【背景技術】
【０００２】
近年、チャネル数の多いデジタル放送が開始されたこともあって、１台のテレビジョン受信装置において、複数の番組の映像を同時に表示できるテレビ放送受信装置、いわゆる多画面表示テレビジョン受信装置が提供されている。
【０００３】
このような多画面表示テレビジョン受信装置においては、２種類の映像に対応するそれぞれが異なる音声を聞き分けることは困難であるため、例えば、スピーカからは、通常、主たる映像に付随した音声のみを出力する。主たる映像以外に付随する音声を聴取する方法としては、音声アンプ回路を複数系統用意して、スピーカとヘッドフォンを使って２つの音声を出力する方法がある。図２は、従来のデジタルテレビ放送受信システムの一構成例を示す機能ブロック図である。テレビジョン放送受信装置２０１が、アンテナ２０２により空中線を受信した信号は、復調手段２０３および２０４により復調され、映像・音声受信手段２０５および２０６で復号されて映像・音声信号となり、映像合成手段２０８により映像信号を形成し、映像・音声表示装置２１１に出力する。
【０００４】
映像・音声受信手段２０５および２０６で復号された音声信号は、音声選択手段２０７により、音声アンプ回路２０９および２１０に振り分けられ、それぞれスピーカ２１２あるいはヘッドフォン２１３に出力を行う。音声アンプ回路として第１の音声アンプ回路２０９および第２の音声アンプ回路２１０の２組の音声アンプ回路が必要である。
【０００５】
【特許文献１】特開２００５−０４５５３３号公報
【特許文献２】特開２００６−０１４００４号公報
【発明の開示】
【発明が解決しようとする課題】
【０００６】
以上に説明したように、２画面表示機能を有するテレビジョン装置における、一般的な音声出力方法では、一組の音声出力装置に対して、複数の音声アンプ回路が必要となる。通常の単一映像のみ視聴している際にはこれらのうちの１つだけが利用され、他の音声アンプ回路は利用されないため有効活用されているとは言えず、コストアップに繋がるという問題がある。
【０００７】
本発明は、多画面表示機能を有するテレビジョン装置における音声出力回路の簡素化を目的とする。
【課題を解決するための手段】
【０００８】
本発明では、単一の音声回路のみで、複数の番組映像を同時に表示する際に、主たる映像以外に付随する音声を聴取する手段を提供する。より詳細には、本発明に係るテレビジョン放送受信装置は、複数の放送番組を受信する受信手段と、音声出力装置を制御する外部アンプ機器との通信手段と、該通信手段を利用して、外部アンプ等の外部アンプ機器の音声出力を制御する外部アンプ機器制御手段と、複数の放送番組の映像を同時に画面表示する機能を有する映像表示手段と、スピーカとヘッドフォン端子への出力切り替え機能つきの音声出力手段とを有するテレビ放送受信装置において、複数番組同時表示時に、主たる映像の外部アンプ機器から音声を出している際に、外部アンプ機器より音声を出力していない別の映像の音声をヘッドフォン端子より出力する機能を備えたことを特徴とする。これにより、単一の音声アンプ回路のみ備えていても、複数映像画面表示の際に、主たる映像以外に付随する音声を、ヘッドフォンに出力できる。
【発明の効果】
【０００９】
本発明のテレビ放送受信装置では、テレビと連携した外部アンプ機器では、テレビのスピーカおよびヘッドフォン端子からの音声を止めて、サラウンドシステムから音声を出力することで、新たな回路追加無く、二画面表示時に二つの音声を同時に楽しむことができる。
【００１０】
また、外部アンプ機器とヘッドフォンでの二つの音声にすることにより、互いに相手の音声が干渉しない音声環境を維持できるという利点がある。
【発明を実施するための最良の形態】
【００１１】
以下、本発明の一実施の形態によるテレビジョン受信装置について図面を参照しながら説明を行う。
【００１２】
近頃では、デジタル放送において音声５．１チャンネルで放送される番組など、テレビ内蔵スピーカでは再現しきれないような高音質の音声を提供可能な放送番組が増えている。テレビと連携するサラウンドシステムが商品化されている。これらのシステムを本明細書では外部アンプ機器と総称する。
【００１３】
図１は、本発明の一実施の形態によるテレビジョン放送受信装置を含むサラウンドシステムの一構成例を示す機能ブロック図であり、図１に示すように、テレビ放送受信装置１０１を備えたサラウンドシステムにおいては、同時に２つの番組を受信・表示するテレビジョン受信装置を用いる場合を例として示しているが、３つ以上の番組を受信し表示するシステムを持つことも可能である。また、復調手段、映像・音声受信手段については、受信機内部に持たずに、外部の映像機器を利用することも可能である。
【００１４】
アンテナ１０２により空中線を受信して取得した信号は、第一の復調手段１０３および第二の復調手段１０４と、により復調され、それぞれ、第一の映像・音声受信手段１０５および第二の映像・音声受信手段１０６において復号される。復調された映像・音声信号は、映像合成手段１０８において映像信号を形成し、映像・音声表示装置１１３に対して出力される。
【００１５】
第一及び第二の映像・音声受信手段１０５および１０６において復号された音声信号は、音声選択手段１０７により、サラウンドシステム通信手段１１０と、音声アンプ回路１１１とに振り分けられ、サラウンドシステム通信手段１１０から、外部アンプ・サラウンドシステム１１４へ出力され、外部スピーカ１１５から音声出力される。サラウンドシステム通信手段１１０と外部アンプ・サラウンドシステム１１４との間における通信は、例えばＨＤＭＩ端子１１０ａ・１１４ａとケーブルとを用いた双方向通信により行われる例を示している。また、音声アンプ回路１１１からの信号は、出力切り換えスイッチ１１２で出力先を、スピーカ１１６あるいはヘッドフォン１１７に選択的に切り替えることにより、それぞれに対して出力することができる。
【００１６】
図３は、音声出力方法の選択処理の流れとその際の表示画面例（メニュー表示）を示す図である。リモコン等による操作が行われると、機器設定メニュー画面から、音声出力設定を選ぶことができる（ステップＳ３１）。例えば、画面３に示すメニュー画面が表示され、リモコン等の操作により音声出力方法を選択できる（ステップＳ３２）。画面３は、音声出力設定に関するメニュー画面であり、１）音声をテレビのスピーカで聞く場合にはボタン３０１を、外部アンプ・サラウンドシステムで聴く場合にはボタン３０３を、外部アンプ・サラウンドシステムで聴く場合であって、二画面表示ではヘッドフォンで副映像の音声を聞く場合にはサラウンド＋ヘッドフォンボタン３０５を押す。
【００１７】
画面３のそれぞれの項目を選んだときの動作について、図４のフローチャート図に基づいて制御され、以下のように動作する。図４に示すように、音声出力制御を行い（スタート）、ステップＳ４１において音声出力設定を行う。ここで、「テレビ」を選ぶと、ステップＳ４７に進み、ヘッドフォンが接続されているか否かを判定し、ヘッドフォンが接続されていなければ、ステップＳ４８に進み、図２の音声アンプ回路１１１を使用して音声信号を増幅して、スピーカ１１６から音声を出力する。ステップＳ４７においてヘッドフォンが接続されていれば、ステップＳ４９に進み、出力切り換えスイッチ１１２を切り換えて、ヘッドフォン１１７に出力を行うことで従たる映像の音声を出力する。ヘッドフォンを繋いだ場合はスピーカ１１６から音声を出さない。
【００１８】
ステップＳ４２において、「サラウンド」を選ぶと、図２のサラウンドシステム通信手段１１０を使用して、外部アンプ・サラウンドシステム１１４と通信することにより外部スピーカ１１５から音声を出力可能であるか否かを調べる。通信により外部スピーカ１１５から出力可能であれば、音声出力を外部スピーカ１１５側に設定し、サラウンドシステム制御手段１０９からサラウンドシステム通信手段１１０を経て音声信号を出力する。そして、外部アンプ・サラウンドシステム１１４により音声信号を増幅し、外部スピーカ１１５から音声を出力する。このケースでは、スピーカ１１６或いはヘッドフォン１１７から音声を出力しない。また、外部スピーカ１１５から音声を出力不可能である場合は、「テレビ」を選択した場合と同様に、音声アンプ回路を利用して、スピーカ１１６或いはヘッドフォン１１７から音声を出力する。
【００１９】
ステップＳ４２において、「サラウンド＋ヘッドフォン」を選択した場合は、「サラウンド」を選択した場合と基本的に同等の動作をする。「サラウンド＋ヘッドフォン」を選択した場合は、「サラウンド」を選択した場合とで異なる点は、ステップＳ４３において複数画面同時表示をしている場合の音声出力方法にある。図６に示すように、この場合には、ステップＳ４４に進み、主たる映像（５０１）・音声を第一の復調手段１０３（図１）から第一の映像・音声受信手段１０５で復号し、音声信号を音声選択手段１０７で出力先を外部アンプに設定して、サラウンドシステム制御手段１０９、サラウンドシステム通信手段１０を経て、外部アンプ・サラウンドシステム１１４で増幅し、外部スピーカ１１５より音声を出力する。同時に、従たる映像（５０３）・音声を第二の復調手段１０４から第二の映像・音声受信手段１０６で復号し、音声信号を音声選択手段１０７で出力先を内部アンプに設定し、音声アンプ回路１１１で増幅して、出力切り換えスイッチ１１２をヘッドフォン側にし、ヘッドフォン接続した場合は、ヘッドフォン１１７より音声５０７を出力する（ステップＳ４５）。スピーカは消音５０５する。ヘッドフォンを繋がない場合は、複数画面の表示状態であっても、外部スピーカから主たる映像に付随する音声５０７のみ出力される（ステップＳ４６）。
【００２０】
【表１】
2008228078.tif 000003
【００２１】
以下、ステップＳ４２の詳細な処理について、表１の各ステップの通信内容例と図５のフローチャート図とを参照しながら説明する。まず、外部サラウンドシステムに音声出力しようとすると（スタート）、ステップＳ１において、接続機器の検索のために、ＴＶからＡＭＰに対して応答要求を行い、返答を待つ。これにより、サラウンドシステムがテレビジョン受信装置に接続されているか否かを判定する。接続されていなければ、ステップＳ５に進み、主音声をスピーカから出力する。ステップＳ１においてサラウンドシステムが接続されていれば、ステップＳ２に進み、サラウンドシステムが音声を出力中であるか否かを判定する。ステップＳ２では、外部アンプ・サラウンドシステムに対して、その状態に関する情報を要求し、これに応答して状態に関する情報を応答する。ここで、音声を出力していなければ、ステップＳ５に進み、音声を出力していればステップＳ３に進み、サラウンドシステムでテレビジョン受信装置の音声を出力中か否かを判定する。ステップＳ３においては、音声出力中であれば、ＴＶからＡＭＰに対して音声出力ソースの要求を行い、音声出力ソースの返答を受ける。音声出力ソースがテレビ音声であれば、テレビのスピーカの出力を停止する。すなわち、テレビジョン受信装置の音声を出力中でない場合には、ステップＳ５に進み、テレビジョン受信装置の音声を出力中であれば、ステップＳ４に進み、主音声をサラウンドシステムに出力し、内部スピーカを消音する。
【００２２】
表示画面が三以上の映像の場合は、ヘッドフォン１１５から出力する音声は、図７に示すように、リモコン等の操作で従映像６０３・６０５のうちいずれの従映像からヘッドフォン出力をするかに関する切り換えを行うことが可能である。
【００２３】
図７の上に示す図で説明すると、主映像６０１に関する音声は、矢印ＡＲ４で示すように外部アンプ・サラウンドシステム１１４を経てスピーカ１１５から出力される。従映像（１）６０３に基づく音声は、矢印ＡＲ５に示すようにヘッドフォン１１７により従映像（１）６０３に付随する音声１２１を視聴できる。図７の上下に示す構成は、例えばリモコン操作により切り替えることができる。
【００２４】
一方、図７の下に示す図で説明すると、主映像６０１に関する音声は、矢印ＡＲ６で示すように外部アンプ・サラウンドシステム１１４を経てスピーカ１１５から出力される。従映像（２）６０５に基づく音声は、矢印ＡＲ７に示すようにヘッドフォン１１７により従映像（１）６０３に付随する音声１２３を視聴できる。
【００２５】
以上にようにして、テレビから、通信によりサラウンドシステムの接続状態を確認し、サラウンドシステム接続状態であれば、テレビ内蔵スピーカからの音声出力を停止し、音声をサラウンドシステムから出力する。この状態で、２画面表示した場合は、ヘッドフォンを繋いだ際に、サラウンドで出力していない方の音声をヘッドフォンから出力する。
【００２６】
テレビとサラウンドシステムとを連携させたシステムにより、サラウンドシステムが利用できない状態の場合は、本来、サラウンドシステムから出力されるべき主画面の音声をテレビから出力することにより、主画面の音声を優先して出力する。
【００２７】
本実施の形態によるテレビ放送受信装置では、上記のように、テレビと連携したサラウンドシステムでは、テレビのスピーカおよびヘッドフォン端子からの音声を止めて、サラウンドシステムから音声を出力させるようにすることにより、新たな回路の追加の必要も無く、二画面表示時に二つの音声を同時に楽しむことができる。サラウンドシステムとヘッドフォンとの２種類の音声とすることにより、互いに相手の音声が干渉しない音声環境を提供することができる。
【産業上の利用可能性】
【００２８】
本発明は、多画面表示可能なテレビジョン受信装置に利用可能である。
【図面の簡単な説明】
【００２９】
【図１】本発明の一実施の形態によるテレビジョン受信装置の一構成例を示す機能ブロック図である。
【図２】一般的なテレビジョン受信装置の機能ブロック図である。
【図３】本発明の一実施の形態によるテレビジョン受信装置の音声出力方法を設定する手順と設定画面例を示す図である。
【図４】本発明の一実施の形態によるテレビジョン受信装置の音声出力制御の詳細なフローチャート図である。
【図５】図４のステップＳ４２の詳細な処理を示すフローチャート図である。
【図６】本発明の一実施の形態によるテレビジョン受信装置の２画面表示における音声出力状況を示す図である。
【図７】本発明の一実施の形態によるテレビジョン受信装置の３画面表示における音声出力状況を示す図である。
【符号の説明】
【００３０】
１０１、２０１  テレビ放送受信装置
１０２、２０２  アンテナ
１０３、１０４、２０３、２０４  復調手段
１０５、１０６、２０５、２０６  映像・音声受信手段
１０７、２０７  音声選択手段
１０８、２０８  映像合成手段
１０９  サラウンドシステム制御手段
１１０  サラウンドシステム通信手段
１１１、２０９、２１０  音声アンプ回路
１１２  出力切り換えスイッチ
１１３、２１１  映像・音声表示装置
１１４  外部アンプ・サラウンドシステム（外部アンプ機器）
１１５  外部スピーカ
１１６、２１２  （内蔵）スピーカ
１１７、２１３  ヘッドフォン
【図１】
2008228078.tif 000004
【図２】
2008228078.tif 000005
【図３】
2008228078.tif 000006
【図４】
2008228078.tif 000007
【図５】
2008228078.tif 000008
【図６】
2008228078.tif 000009
【図７】
2008228078.tif 000010